(57)【要約】【課題】本発明はＰＣカード用カバーの閉蓋構造に関し、薄型化に対応してＰＣカードのエクステンデッド部のカバーの取付を、手間が掛からず容易にして、部品点数を削減させることが課題とである。【解決手段】合成樹脂製の框体における開口部を被覆するカバーの閉蓋構造において、  前記カバーの略前部側に下方に延びて水平方向に延設された所望幅で略Ｌ字型の係止突起が設けられ、前記開口部には前記カバーの係止突起に係合して上下方向のガタが無いように嵌合する嵌合突起が設けられ、且つ、該嵌合突起の近傍には前記両係止突起間の幅に合わせてその係止突起若しくはその近傍の外側面に摺接して左右方向にガタが無いように配置した壁が一体に設けられているＰＣカード用カバーの閉蓋構造である。【選択図】図３
2005071236.tif 000002
【特許請求の範囲】
【請求項１】
合成樹脂製の框体における開口部を被覆するカバーの閉蓋構造において、
前記カバーの略前部側に下方に延びて水平方向に延設された所望幅で略Ｌ字型の係止突起が設けられ、前記開口部には前記カバーの係止突起に係合して上下方向のガタが無いように嵌合する嵌合突起が設けられ、且つ、該嵌合突起の近傍には前記両係止突起間の幅に合わせてその係止突起若しくはその近傍の外側面に摺接して左右方向にガタが無いように配置した壁が一体に設けられていること、
を特徴とするＰＣカード用カバーの閉蓋構造。
【請求項２】
カバーの略後部側には、框体側のネジ止め用貫通孔に対応する位置に、ネジ止め用のボス部が設けられていること、
を特徴とする請求項１に記載のＰＣカード用カバーの閉蓋構造。
【発明の詳細な説明】
【技術分野】
【０００１】
本発明は、例えば、携帯用のノート型パーソナルコンピュータに設けられたカード用スロットに装着して、機能拡張用に使用されるメモリーカードであるＰＣカードにおける、框体のカバーの閉蓋構造に関するものである。
【背景技術】
【０００２】
携帯用のノート型パーソナルコンピュータに装着して使用されるＰＣカードは、合成樹脂製の薄型矩形状の框体と、該框体部分に内装されるプリント基板と、該プリント基板を略全面的に囲繞するシールド用上下カバー体とで、カード用スロットの内部に装着されるメモリーカード部分が構成されている。これによって、パーソナルコンピュータの機能を高めるのであるが、更なる技術進展により機能が拡張され、カード用スロットの外側部分にも前記框体及びプリント基板が延設され、そこに、アンテナ等が設けられて通信や無線ＬＡＮ等の無線機能が追加されてなる、エクステンデッド部分が構成されている。
【０００３】
図５乃至図７に示すように、前記カード用スロットの外側に位置するエクステンデッド部分２０は、底部と側壁部との一体部分でなる框体部分２１と、その上側に被せられるカバー２２とがある。
【０００４】
前記カバー２２は、図５（Ｂ）に示すように、プリント基板上の電子部品と無線装置等を覆うので、メモリーカード部分の高さよりも高くなっており、ＬＥＤ表示部２３もある。このカバー２２を前記框体２１にネジ等２４でボス部２２ａにネジ止めして固定したり、係止部とリブとで挟み込んで係合させるものが知られている。
【特許文献１】特開平１１−１８５８６９号公報
【発明の開示】
【発明が解決しようとする課題】
【０００５】
従来例に係るＰＣカード用カバーの閉蓋構造における、解決しようとする問題点は、カバーを框体に固定するために、４カ所のネジ止め部を設けたり、４箇所の爪形状係止部を設けるものであるので、カバー固定用の部品点数が多くなることと、固定作業に手間が掛かる点である。また、係止爪等で係止させる場合でも、カバーの前部側が極めて薄いメモリーカード部分に係止させなければならないので、ネジ使用や係止形状等の制約が厳しくなり、確実に係止させるための十分な幅や高さを確保できない場合がある。
【課題を解決するための手段】
【０００６】
本発明に係るＰＣカード用カバーの閉蓋構造は、合成樹脂製の框体における開口部を被覆するカバーの閉蓋構造において、前記カバーの略前部側に下方に延びて水平方向に延設された所望幅で略Ｌ字型の係止突起が設けられ、前記開口部には前記カバーの係止突起に係合して上下方向のガタが無いように嵌合する嵌合突起が設けられ、且つ、該嵌合突起の近傍には前記両係止突起間の幅に合わせてその係止突起若しくはその近傍の外側面に摺接して左右方向にガタが無いように配置した壁が一体に設けられていることである。
【０００７】
前記カバーの略後部側には、框体側のネジ止め用貫通孔に対応する位置に、ネジ止め用のボス部が設けられていることを含むものである。
【発明の効果】
【０００８】
本発明のＰＣカード用カバーの閉蓋構造により、カバー側には略Ｌ字型の係止突起が設けられ、框体側の開口部には前記カバーの係止突起に係合して上下方向のガタが無いように嵌合する嵌合突起が設けられ、且つ、該嵌合突起の近傍には前記両係止突起間の幅に合わせてその係止突起若しくはその近傍の外側面に摺接して左右方向にガタが無いように配置した壁が一体に設けられているので、框体の肉厚が薄くなり、ネジ止めスペースも制約されて設けることができないような軽薄短小化の要請の厳しい電子機器において、係止突起によるカバーの組立てが可能となると言う優れた効果を奏するものである。
【０００９】
更に、ネジ止め箇所が例えば、４カ所から２カ所に削減されて部品点数が減少し、ネジ止め工数も削減されると言う優れた効果を奏するものである。また、カバーの略後部側には、框体側のネジ止め用貫通孔に対応する位置に、ネジ止め用のボス部が設けられているので、確実にカバーを固定することができると言う優れた効果を奏するものである。
【発明を実施するための最良の形態】
【００１０】
合成樹脂製の框体における開口部を被覆するカバーの閉蓋構造において、前記カバーの略前部側に下方に延びて水平方向に延設された所望幅で略Ｌ字型の係止突起が設けられ、前記開口部には前記カバーの係止突起に係合して上下方向のガタが無いように嵌合する嵌合突起が設けられ、且つ、該嵌合突起の近傍には前記両係止突起間の幅に合わせてその係止突起若しくはその近傍の外側面に摺接して左右方向にガタが無いように配置した壁が一体に設けられているように形成することで、本発明の目的を達成する。
【実施例１】
【００１１】
図１は、本発明に係るＰＣカード用カバーの閉蓋構造Ａに係るＰＣカード１の一部分を示している。このＰＣカード１は、例えば、ノート型パーソナルコンピュータのカード用スロット（図示せず）に挿着されるものであって、薄い矩形状のメモリーカード部分がそのスロット内に挿着される。そして、図１（Ａ）に示すように、前記スロット内に挿着されるメモリーカード部分に対して、スロットの外側に配置されるのがエクスンデッド部分（拡張部分）である。
【００１２】
ＰＣカード１は、合成樹脂製の框体２でカード全体の骨格が形成され、前記エクステンデッド部分においては、底部と側部とが前記框体２の端部から延設された框体２ａで形成され、その上部の開口部には、合成樹脂製のカバー３が被せられる。カバー３の中央部に見える２カ所の孔は、ＬＥＤ表示部３ｄである。
【００１３】
前記カバー３を框体２ａに固定する構造は、図１（Ｃ）に示すように、框体２ａ後方側の底面側に２カ所のボス部２ｄにネジ用孔が貫通して設けられ、一方、カバー３側には、その対応する位置にネジ用のボス部３ｃ（図２（Ａ）参照）が設けられている。当該カバー３が框体２ａに仮止めされた後に、ボス部２ｄの下からボス部３ｃにネジ４が裸着されて、框体２ａにカバー３が固定される。
【００１４】
前記カバー３を框体２ａの開口部に仮止めするには、図２（Ａ）に示すように、カバー３側において、前方カバー部３ａの左右両端部に、下方に延びて水平方向に延設された所望幅で略Ｌ字型の係止突起３ｂが各々設けられている。
【００１５】
そして、框体２ａ側の開口部においては、図２（Ｂ）に示すように、前記カバー３の係止突起３ｂに係合して、上下方向のガタが無いように嵌合する嵌合突起２ｂが両端部に設けられている。
【００１６】
そして、前記嵌合突起２ｂには、その近傍に前記両係止突起３ｂ間の幅に合わせて、その係止突起３ｂ若しくはその近傍の外側面に摺接して左右方向にガタが無いように配置した壁２ｃが一体に設けられている。
【００１７】
前記カバー３を框体２ａに被せるには、図３に示すように、カバー３の前方カバー部３ａをやや下に傾けて、係止突起３ｂを前記壁２ｃ，２ｃの間に収まるようにして、嵌合突起２ｂの下へ係合するように差し込む。
【００１８】
すると、図４（Ａ），（Ｂ）に示すように、框体２ａの上にカバー３が閉蓋され、ボス部３ｃ，２ｄが位置合わせされる。ここに、ネジ４を差し込んで裸着する。これにより、ネジは２カ所で止めることになる。カバー３は、上下方向には嵌合突起２ｂで規制され、左右方向には壁２ｃ，２ｃで規制される。なお、係止突起３ｂと嵌合突起２ｂとの係合状態は、図４（Ａ）に示すように、先端部の角度θ１、θ２を適宜に設定することで、組み立て後のガタ付きを抑えることができる。
【産業上の利用可能性】
【００１９】
本発明に係るＰＣカード用カバーの閉蓋構造は、小型電子機器のカバーを框体に固定するものに広く適用できる。
【図面の簡単な説明】
【００２０】
【図１】ＰＣカード用カバーの閉蓋構造の実施例に係る平面図（Ａ）、側面図（Ｂ）、底面図（Ｃ）である。
【図２】同ＰＣカード用カバーの閉蓋構造における、カバー３の断面図（Ａ）、框体２ａの断面図（Ｂ）である。
【図３】同ＰＣカード用カバーの閉蓋構造における、カバー３の組立て方法を説明する説明図である。
【図４】同ＰＣカード用カバーの閉蓋構造における、カバー３と框体２ａとの係合関係を示す説明図である。
【図５】従来例に係るＰＣカード用カバーの閉蓋構造における、平面図（Ａ）、側面図（Ｂ）、底面図（Ｃ）である。
【図６】同框体２１の底面図である。
【図７】同カバー２２の平面図（Ａ）、側面図（Ｂ）、底面図（Ｃ）である。
【符号の説明】
【００２１】
１          ＰＣカード、
２，２ａ    框体、
２ｂ        嵌合突起、
２ｃ        壁、
２ｄ        ボス部、
３          カバー、
３ａ        前方カバー部、
３ｂ        係止突起、
３ｃ        ボス部、
３ｄ        ＬＥＤ表示部、  
４          ネジ。
【図１】
2005071236.tif 000003
【図２】
2005071236.tif 000004
【図３】
2005071236.tif 000005
【図４】
2005071236.tif 000006
【図５】
2005071236.tif 000007
【図６】
2005071236.tif 000008
【図７】
2005071236.tif 000009